(57)【要約】【課題】仕切りをトレイ本体と一体に成形することができ、組み立てたトレイを積み重ねて保管することができるトレイを提供する。【解決手段】第１底壁７，第２底壁９と、第１底壁７，第２底壁９の外周に連続して設けられ外側に傾斜した状態で立ち上がる側壁１１，２０，１４，１５，２３，２４と、第１底壁７，第２底壁９の上面側に凸となるように第１底壁７，第２底壁９に形成され、第１底壁７と第２底壁９とを仕切る仕切り部５とを備えている。【選択図】図１
2016037315.tif 000002
【特許請求の範囲】
【請求項１】
底壁と、
前記底壁の外周に連続して設けられ外側に傾斜した状態で立ち上がる２組の対向側壁と、
前記底壁の上面側に凸となるように前記底壁と一体に形成され、前記底壁を仕切る仕切り部とを備えたトレイ。
【請求項２】
請求項１に記載のトレイであって、
前記底壁は、前記仕切り部の一方側に位置する第１底壁と、前記仕切り部の他方側に位置する第２底壁とを備えており、
前記２組の対向側壁のうちの１組の対向側壁は、前記第１底壁の両側部に位置する第１対向側壁と、前記第２底壁の両側部に位置する第２対向側壁とが連結されて形成されていることを特徴とするトレイ。
【請求項３】
請求項２に記載のトレイであって、
前記２組の対向側壁のうちの１組の対向側壁は、前記第１底壁の両側部に位置する第１対向側壁と、前記第２底壁の両側部に位置する第２対向側壁とが糊付けされて連結されることを特徴とするトレイ。
【請求項４】
請求項２に記載のトレイであって、
前記第１底壁の両側部に位置する第１対向側壁と、前記第２底壁の両側部に位置する第２対向側壁とには切り込みが形成されており、前記第１対向側壁と前記第２対向側壁とはこの切り込み同士を差し込んで連結されることを特徴とするトレイ。
【請求項５】
請求項１〜４の一に記載のトレイであって、
前記仕切り部は前記底壁を逆Ｖ字状に折り曲げて形成されることを特徴とするトレイ。
【請求項６】
請求項１〜５の一に記載のトレイであって、
前記仕切り部の両側部は内側に傾斜しており、前記仕切り部の上部に形成される稜線は仕切り部の基端部より短く形成されることを特徴とするトレイ。
【請求項７】
請求項６に記載のトレイであって、
前記稜線の両端に形成される角部は面取りがされていることを特徴とするトレイ。
【発明の詳細な説明】
【技術分野】
【０００１】
本発明は、仕切りを備えたトレイに関する。
【背景技術】
【０００２】
従来、たとえば複数の菓子を紙製のトレイに載置して販売する場合に、トレイに仕切りを設けてトレイに載置する菓子を種類毎に仕切ることがある。
【先行技術文献】
【特許文献】
【０００３】
【特許文献１】特開２０１２−１６２２８９号公報
【発明の概要】
【発明が解決しようとする課題】
【０００４】
仕切りは、トレイ本体と別個に設けられた凸状の仕切り部材をトレイ本体に糊付けして形成されるので、部品点数が増えるとともに組み立て作業に手間が掛かる。また、トレイ本体を保管するための保管スペース以外に仕切り部材を保管するための保管スペースが必要となる。さらに、仕切り部材は凸状に突出した状態でトレイ本体の底面に糊付けされており、仕切り部材を糊付けして組み立てたトレイを積み重ねてコンパクトに保管することができないという問題がある。
【０００５】
本発明は、従来のこのような問題点を解決するためになされたものであって、その目的は、仕切りをトレイ本体と一体に成形することができ、組み立てたトレイを積み重ねて保管することができるトレイを提供することである。
【課題を解決するための手段及び発明の効果】
【０００６】
上記目的を達成するために、本発明の一のトレイによれば、底壁と、前記底壁の外周に連続して設けられ外側に傾斜した状態で立ち上がる２組の対向側壁と、前記底壁の上面側に凸となるように前記底壁と一体に形成され、前記底壁を仕切る仕切り部とを備えている。
【０００７】
上記構成によれば、仕切りをトレイ本体と一体に成形することができる。さらに、組み立てられたトレイは、外側に傾斜した状態で立ち上がる２組の対向側壁を備えているので、２組の対向側壁の内面に、積み重ねられるトレイの２組の対向側壁を当接させて、トレイを積み重ねることができる。底壁を仕切る仕切り部は、底壁の上面側に凸となるように底壁と一体に形成されているので、凸状の仕切り部に他のトレイの仕切り部を嵌め込んで積み重ねることができる。このようにして、組み立てたトレイを積み重ねて保管することができる。
【０００８】
また、前記底壁は、前記仕切り部の一方側に位置する第１底壁と、前記仕切り部の他方側に位置する第２底壁とを備えており、前記２組の対向側壁のうちの１組の対向側壁は、前記第１底壁の両側部に位置する第１対向側壁と、前記第２底壁の両側部に位置する第２対向側壁とが連結されて形成されていることを特徴とする。
【０００９】
上記構成によれば、前記第１底壁の両側部に位置する第１対向側壁と、前記第２底壁の両側部に位置する第２対向側壁とを別々に設けているので、底壁に仕切り部を形成した後に第１対向側壁と第２対向側壁とを連結して、１組の対向側壁を簡便に形成することができる。
【００１０】
また、前記２組の対向側壁のうちの１組の対向側壁は、前記第１底壁の両側部に位置する第１対向側壁と、前記第２底壁の両側部に位置する第２対向側壁とが糊付けされて連結されることを特徴とする。
【００１１】
上記構成によれば、前記第１底壁の両側部に位置する第１対向側壁と、前記第２底壁の両側部に位置する第２対向側壁とを糊付けして確実に連結することができる。
【００１２】
また、前記第１底壁の両側部に位置する第１対向側壁と、前記第２底壁の両側部に位置する第２対向側壁とには切り込みが形成されており、前記第１対向側壁と前記第２対向側壁とはこの切り込み同士を差し込んで連結されることを特徴とする。
【００１３】
上記構成によれば、前記第１対向側壁と前記第２対向側壁とを糊付けする工程を省略して、組み立て工程の簡略化を図ることができる。
【００１４】
また、前記仕切り部は前記底壁を逆Ｖ字状に折り曲げて形成されることを特徴とする。
【００１５】
上記構成によれば、逆Ｖ字形状の仕切り部に、他のトレイの仕切り部を嵌め込んで簡便に積み重ねることができる。
【００１６】
また、前記仕切り部の両側部は内側に傾斜しており、前記仕切り部の上部に形成される稜線は仕切り部の基端部より短く形成されることを特徴とする。
【００１７】
上記構成によれば、一方のトレイに他方のトレイを積み重ねるとき、他方のトレイの１組の対向側壁が、一方のトレイの仕切り部に当接することを効果的に防止することができ、他方のトレイの仕切り部を一方のトレイの仕切り部に容易に被せることができる。
【００１８】
また、前記稜線の両端に形成される角部は面取りがされていることを特徴とする。
【００１９】
上記構成によれば、一方のトレイに他方のトレイを積み重ねるとき、他方のトレイの１組の対向側壁が、一方のトレイの仕切り部に当接することを効果的に防止することができ、他方のトレイの仕切り部を一方のトレイの仕切り部に容易に被せることができる。
【図面の簡単な説明】
【００２０】
【図１】本発明の一実施形態に係るトレイの斜視図である。
【図２】トレイの展開図である。
【図３】トレイの組み立て手順を示す斜視図である。
【図４】トレイの組み立て手順を示す斜視図である。
【図５】トレイの組み立て手順を示す斜視図である。
【図６】トレイの組み立て手順を示す斜視図である。
【図７】３個のトレイを積み重ねたときの断面図である。
【図８】他の実施形態に係るトレイの斜視図である。
【発明を実施するための形態】
【００２１】
以下、本発明の一実施例に係るトレイを図１〜図７に基づいて説明する。ただし、以下に示す実施例は、本発明の技術思想を具体化するためのトレイを例示するものであって、トレイを以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２２】
図１は本発明の一実施形態に係るトレイの斜視図であり、図２はトレイの展開図である。本実施形態においてトレイ１は、紙製のブランク材を折り曲げて形成される。図２に示すように、折曲線２で折り曲げ可能に連結された仕切り片３と仕切り片４とを中央部に備える。仕切り片３と仕切り片４とで仕切り部５が形成される。仕切り部５の一方側には、折曲線６を介して折り曲げ可能に連結された第１底壁７が設けられ、仕切り部５の他方側には、折曲線８を介して折り曲げ可能に連結された第２底壁９が設けられる。
【００２３】
第１底壁７の端面には、折曲線１０を介して側壁１１が折り曲げ可能に設けられており、第１底壁７の両側には各々折曲線１２，１３を介して側壁１４，１５が折り曲げ可能に設けられている。第２底壁９の端面には、折曲線１９を介して側壁２０が折り曲げ可能に設けられており、第２底壁９の両側には各々折曲線２１，２２を介して側壁２３，２４が折り曲げ可能に設けられている。
【００２４】
側壁１４，１５の一方側の側部には、側壁１１に糊付けされる糊代２８，２９が折曲線３０，３１を介して折り曲げ可能に形成されており、側壁１４，１５の他方側の側部には、側壁２３，２４の一方側の側部に糊付けされる糊代３２，３３が形成されている。側壁２３，２４の他方側の側部には、側壁２０に糊付けされる糊代３４，３５が折曲線３６，３７を介して折り曲げ可能に形成されている。
【００２５】
ここで図３〜図６に基づいてトレイ１の組み立て手順について説明する。まず、仕切り片３と仕切り片４とを折曲線２と折曲線６，８とで折り曲げて、第１底壁７と第２底壁９との上面側に凸となるように逆Ｖ字形の仕切り部５を形成する。そうすると、側壁１４と側壁１５とがそれぞれ側壁２３と側壁２４とに近付くので、側壁１４，１５の側部に形成された糊代３２，３３を側壁２３，２４の側部の内側に重ねる。なお、糊代３２，３３の基端部には細長な直線状の凹部４１が設けられており、この凹部４１を側壁２３，２４の端部４２に合わせる。これによって、仕切り部５を所定の逆Ｖ字形とすることができる。このときの状態を図３に示す。
【００２６】
次に、側壁１４を折曲線１２で折り曲げて立ち上げ、側壁１５を折曲線１３で折り曲げて立ち上げる。このときの状態を図４に示す。さらに側壁２３を折曲線２１で折り曲げ、側壁２４を折曲線２２で折り曲げて立ち上げる。そして糊代３２，３３の基端部に形成された凹部４１が側壁２３，２４の端部４２に位置した状態で、糊代３２，３３を側壁２３，２４に糊付けする。このときの状態を図５に示す。
【００２７】
側壁１４，１５の側部に形成された糊代２８，２９を、折曲線３０，３１で内側に折り曲げる。そして側壁１１を折曲線１０で折り曲げて立ち上げ、糊代２８，２９を側壁１１に糊付けする。折曲線３０，３１は折曲線１０に対して傾斜しており、糊代２８，２９は、折曲線３０，３１に側壁１１の端面３９を合わせた状態で糊付けされるので、第１底壁７の外周に連続して設けられた側壁１４，１５および側壁１１は外側に傾斜した状態で立ち上がる。このときの状態を図６に示す。
【００２８】
そして、側壁２３，２４の側部に形成された糊代３４，３５を、折曲線３６，３７で内側に折り曲げる。側壁２０を折曲線１９で折り曲げて立ち上げ、糊代３４，３５を側壁２０に糊付けする。折曲線３６，３７は折曲線１９に対して傾斜しており、糊代３４，３５は、折曲線３６，３７に側壁２０の端面４０を合わせた状態で糊付けされるので、第２底壁９の外周に連続して設けられた側壁２３，２４および側壁２０は外側に傾斜した状態で立ち上がる。組み立てられたトレイ１を図１に示す。
【００２９】
仕切り部５は、折曲線６，８を介して、底壁である第１底壁７，第２底壁９の上面側に凸となるように逆Ｖ字形に形成されている。仕切り部５の両側は、側壁１４，１５あるいは側壁２３，２４と連結されていないので、逆Ｖ字形状の仕切り部５に他のトレイ１の仕切り部５を嵌め込んで他のトレイ１を積み重ねることができる。
【００３０】
３個のトレイ１０１，１０２，１０３をこの順番に積み重ねたときの仕切り部５と直交する方向の断面図を図７に示す。トレイ１０１，１０２，１０３の第１底壁７と第２底壁９との外周に形成された側壁１１，２０，１４，１５，２３，２４は外側に傾斜した状態で立ち上がっており、トレイ１０２の側壁１１，２０，１４，１５，２３，２４が、トレイ１０１の側壁１１，２０，１４，１５，２３，２４の内面に当接している。
【００３１】
さらに、トレイ１０１の仕切り部５の外面にトレイ１０２の仕切り部５の内面が当接している。図２，図３に示すように、逆Ｖ字状の仕切り部５の両側部４９は内側に傾斜しており、仕切り部５の上部に形成される稜線である折曲線２は、仕切り部５の基端部である折曲線６，８より短く形成されている。さらに折曲線２の両端に形成される角部はＲ面取りがされている。これによって、トレイ１０１にトレイ１０２を積み重ねるとき、トレイ１０２の側壁１４，１５，２３，２４が、トレイ１０１の仕切り部５に当接することを効果的に防止して、トレイ１０２の仕切り部５をトレイ１０１の仕切り部５に嵌め込むことができる。このように、トレイ１０２はトレイ１０１に積み重ねることができ、さらにトレイ１０２の上にはトレイ１０３を積み重ねることができる。
【００３２】
なお、本実施形態においては、側壁１４，１５の一方側の端部に設けられた糊代３２，３３を側壁２３，２４に糊付けして、側壁１４，１５と側壁２３，２４とを連結しているが、これに限定されるものではない。たとえば、図８に示すように、側壁１４，１５の一方側の端部に側壁２３，２４側に突出した突出部５１を設け、この突出部５１に直線状の切り込み５２を設ける。さらに側壁２３，２４の端部に直線上の切り込み５３を設ける。切り込み５３に切り込み５２を差し込んで側壁１４，１５と側壁２３，２４とを連結することもできる。このようにすると、糊代３２，３３を側壁２３，２４に糊付けする工程を省略して、組み立て工程の簡略化を図ることができる。
【００３３】
また、本実施形態では、トレイ１は紙製のブランク材を折り曲げて形成されるが、これに限定されるものではなく、たとえば樹脂製の平板でブランク材を形成し、このブランク材を折り曲げて形成することもできる。
【産業上の利用可能性】
【００３４】
本発明の収納箱は、お菓子などの食品を載せるトレイとして好適に使用される。
【符号の説明】
【００３５】
１，１０１，１０２，１０３…トレイ
２，６，８，１０，１２，１３，１９，２１，２２，３０，３１，３６，３７…折曲線
３，４…仕切り片
５…仕切り部
７…第１底壁
９…第２底壁
１１，１４，１５，２０，２３，２４…側壁
２８，２９，３２，３３，３４，３５…糊代
３９，４０…端面
４１…凹部
４２…端部
４９…側部
５１…突出部
５２，５３…切り込み
【図１】
2016037315.tif 000003
【図２】
2016037315.tif 000004
【図３】
2016037315.tif 000005
【図４】
2016037315.tif 000006
【図５】
2016037315.tif 000007
【図６】
2016037315.tif 000008
【図７】
2016037315.tif 000009
【図８】
2016037315.tif 000010